(57)【要約】  メカニカルな操作部材では実現し得ない出力レベルの調節を、直感的な操作によって行うことを課題とする。本発明のＡＶ処理装置３０は、タッチパネルＴＰ上に、所定の軌道６２に沿って操作子６１を移動させることにより出力レベルを調節可能なフェーダーＦをＧＵＩ表示する。ユーザの操作により軌道６２上における任意の位置が点で指定された場合、当該指定前の操作子６１の位置である移動開始位置ＰＡから指定された任意の位置ＰＢまで、予め定められた移動所要時間をかけて一定の速度で操作子６１を移動させる。
2008126130.tif 000002
【特許請求の範囲】
【請求項１】
表示機能付きタッチパネル上に、所定の軌道に沿って操作子を移動させることにより出力レベルを調節可能な操作部材をＧＵＩ表示する表示手段と、
前記表示機能付きタッチパネルを用いて、前記操作子を操作する操作手段と、
前記操作手段の操作に基づいて、前記表示手段の表示制御を行う表示制御手段と、
前記表示制御手段の表示制御に伴い、前記表示手段に表示された前記操作子の位置に基づいて、前記出力レベルを制御するレベル制御手段と、を備え、
前記表示制御手段は、前記操作手段により前記軌道上における任意の位置が点で指定されたとき、当該指定前の前記操作子の位置である移動開始位置から指定された前記任意の位置まで、予め定められた移動所要時間をかけて一定の速度で前記操作子を移動させることを特徴とするレベル調節装置。
【請求項２】
前記移動所要時間は０に設定されており、
前記表示制御手段は、前記移動開始位置から前記任意の位置まで、瞬時に前記操作子を移動させることを特徴とする請求項１に記載のレベル調節装置。
【請求項３】
前記移動所要時間を設定するための移動所要時間設定手段をさらに備え、
前記表示制御手段は、前記移動所要時間設定手段により設定された前記移動所要時間をかけて、前記移動開始位置から前記任意の位置まで前記操作子を移動させることを特徴とする請求項１に記載のレベル調節装置。
【請求項４】
前記操作手段により、前記操作子の指定が解放されたとき、前記任意の位置から、前記移動開始位置または予め定められた復帰位置まで、前記移動所要時間をかけて一定の速度で前記操作子を移動させることを特徴とする請求項１に記載のレベル調節装置。
【請求項５】
前記移動開始位置から前記任意の位置までに要する前記移動所要時間である第１移動所要時間と、前記任意の位置から前記移動開始位置または予め定められた復帰位置までに要する前記移動所要時間である第２移動所要時間と、を個別に設定する個別移動所要時間設定手段をさらに備え、
前記表示制御手段は、前記個別移動所要時間設定手段により設定された前記第１移動所要時間をかけて、前記移動開始位置から前記任意の位置まで前記操作子を移動させると共に、前記第２移動所要時間をかけて、前記任意の位置から前記移動開始位置または前記復帰位置まで前記操作子を移動させることを特徴とする請求項１に記載のレベル調節装置。
【請求項６】
表示機能付きタッチパネル上に、所定の軌道に沿って操作子を移動させることにより出力レベルを調節可能な操作部材をＧＵＩ表示する表示手段と、
前記表示機能付きタッチパネルを用いて、前記操作子を操作する操作手段と、
前記操作手段の操作に基づいて、前記表示手段の表示制御を行う表示制御手段と、
前記表示制御手段の表示制御に伴い、前記表示手段に表示された前記操作子の位置に基づいて、前記出力レベルを制御するレベル制御手段と、を備え、
前記表示制御手段は、前記操作手段により前記軌道上における任意の位置が点で指定されたとき、当該指定前の前記操作子の位置である移動開始位置から指定された前記任意の位置まで、予め定められた移動速度で前記操作子を移動させることを特徴とするレベル調節装置。
【請求項７】
前記操作手段により、前記操作子の指定が解放されたとき、
前記操作子を、前記移動開始位置に復帰させる第１操作モードと、
前記操作子を、予め定められた復帰位置に復帰させる第２操作モードと、
前記操作子を、前記任意の位置のまま停滞させる第３操作モードと、のいずれかの操作モードを設定する操作モード設定手段をさらに備え、
前記表示制御手段は、前記操作モード設定手段の設定に基づいて表示制御を行うことを特徴とする請求項１または６に記載のレベル調節装置。
【請求項８】
請求項１または６に記載のレベル調節装置における各手段と、
前記出力レベルの調節対象となる信号を複数入力する入力手段と、
前記レベル制御手段により制御された前記出力レベルに基づいて、前記信号を出力する出力手段と、を備え、
前記表示制御手段は、入力された信号数に応じた数の前記操作部材を、前記表示手段に表示することを特徴とする信号処理装置。
【請求項９】
請求項８に記載の信号処理装置における各手段を備え、
前記信号は、オーディオ信号またはビデオ信号であることを特徴とするＡＶ処理装置。
【請求項１０】
コンピュータを、請求項１または６に記載のレベル調節装置における各手段として機能させるためのプログラム。
【発明の詳細な説明】
【技術分野】
【０００１】
本発明は、フェーダーやつまみ等の操作部材を用いて出力レベルを調節可能なレベル調節装置、信号処理装置、ＡＶ処理装置およびプログラムに関するものである。
【背景技術】
【０００２】
従来、オーディオミキサをコンピュータで実現するためのＰＣアプリケーションが知られている（例えば、特許文献１）。この種のＰＣアプリケーションは、ディスプレイ上にフェーダー等の操作部材をＧＵＩ表示し、ユーザが当該操作部材の操作子をマウス等のポインティングデバイスを用いて移動（ドラッグ）させることにより、音量やオーディオエフェクトの付与率など各種音楽要素の出力レベル（パラメータ）を調節可能となっている。
【特許文献１】特開２０００−０４０３４５号公報
【発明の開示】
【発明が解決しようとする課題】
【０００３】
ところが、上記のＰＣアプリケーションは、マウス等を用いて操作部材を操作するため、物理的に配置された操作部材を操作する場合と比較して、直感的な操作ができなかった。一般的に、オーディオミキサなどは、クラブ等において用いられるＤＪ機器（ディスクジョッキー（ＤＪ）が音響パフォーマンスに用いる機器）に適用されることが多いが、ＰＣアプリケーションとして提供されたものは、上記のとおり操作性に劣るため、ＤＪ機器のように多様な操作が求められる機器への適用が困難であった。【０００４】
一方、物理的に配置された操作部材を用いることにより、直感的な操作感を得ることはできるが、ユーザが操作部材を指で移動させることによって操作を行うため、移動速度にばらつきが生じ、出力レベルを一定の割合で増減させることができないなど、メカニカルな操作部材ならではの不便さがあった。【０００５】
本発明は、上記の問題点に鑑み、メカニカルな操作部材では実現し得ない出力レベルの調節を、直感的な操作によって行うことができるレベル調節装置、信号処理装置、ＡＶ処理装置およびプログラムを提供することを目的とする。
【課題を解決するための手段】
【０００６】
本発明のレベル調節装置は、表示機能付きタッチパネル上に、所定の軌道に沿って操作子を移動させることにより出力レベルを調節可能な操作部材をＧＵＩ表示する表示手段と、表示機能付きタッチパネルを用いて、操作子を操作する操作手段と、操作手段の操作に基づいて、表示手段の表示制御を行う表示制御手段と、表示制御手段の表示制御に伴い、表示手段に表示された操作子の位置に基づいて、出力レベルを制御するレベル制御手段と、を備え、表示制御手段は、操作手段により軌道上における任意の位置が点で指定されたとき、当該指定前の操作子の位置である移動開始位置から指定された任意の位置まで、予め定められた移動所要時間をかけて一定の速度で操作子を移動させることを特徴とする。【０００７】
この構成によれば、表示機能付きタッチパネルを用いて操作部材を操作するため、簡便且つ直感的に出力レベルを調節することができる。また、操作部材の軌道上における任意の位置を点で指定することにより、当該指定前の操作子の位置である移動開始位置から指定された任意の位置まで、予め定められた移動所要時間をかけて一定の速度で操作子を移動させるため、移動速度にばらつきが生じることがない。すなわち、メカニカルな操作部材のように操作子を実際に移動させるのではなく、任意の位置に触れるだけでその位置に操作子を移動させることができるため、操作が容易であると共に、メカニカルな操作部材では実現し得ない出力レベルの調節を行うことができる。【０００８】
上記に記載のレベル調節装置において、移動所要時間は０に設定されており、表示制御手段は、移動開始位置から任意の位置まで、瞬時に操作子を移動させることが好ましい。【０００９】
メカニカルな操作部材を移動させる際、その速度には限度があるが、この構成によれば、指定された任意の位置に瞬時に操作子を移動させることができる。【００１０】
上記に記載のレベル調節装置において、移動所要時間を設定するための移動所要時間設定手段をさらに備え、表示制御手段は、移動所要時間設定手段により設定された移動所要時間をかけて、移動開始位置から任意の位置まで操作子を移動させることが好ましい。【００１１】
この構成によれば、ユーザの所望する移動所要時間で、移動開始位置から任意の位置まで操作子を移動させることができる。このとき、移動所要時間を０に設定すると、操作子を瞬時に移動させることができる。また、移動所要時間を６０（秒）など長時間に設定すると、メカニカルな操作部材では実現し得ない緩やかな定速移動を実現することができる。【００１２】
上記に記載のレベル調節装置において、操作手段により、操作子の指定が解放されたとき、任意の位置から予め定められた復帰位置まで、移動所要時間をかけて一定の速度で操作子を移動させることが好ましい。【００１３】
この構成によれば、操作子の指定が解放されたとき（表示機能付きタッチパネルから指が離れたとき）も、任意の位置から、移動開始位置または予め定められた復帰位置まで、移動所要時間をかけて一定の速度で操作子を移動させるため、移動速度にばらつきが生じることがない。【００１４】
上記に記載のレベル調節装置において、移動開始位置から任意の位置までに要する移動所要時間である第１移動所要時間と、任意の位置から移動開始位置または予め定められた復帰位置までに要する移動所要時間である第２移動所要時間と、を個別に設定する個別移動所要時間設定手段をさらに備え、表示制御手段は、個別移動所要時間設定手段により設定された第１移動所要時間をかけて、移動開始位置から任意の位置まで操作子を移動させると共に、第２移動所要時間をかけて、任意の位置から移動開始位置または復帰位置まで操作子を移動させることが好ましい。【００１５】
この構成によれば、移動開始位置から任意の位置まで、また任意の位置から移動開始位置または復帰位置まで、それぞれユーザの所望する移動所要時間をかけて、操作子を移動させることができる。【００１６】
本発明の他のレベル調節装置は、表示機能付きタッチパネル上に、所定の軌道に沿って操作子を移動させることにより出力レベルを調節可能な操作部材をＧＵＩ表示する表示手段と、表示機能付きタッチパネルを用いて、操作子を操作する操作手段と、操作手段の操作に基づいて、表示手段の表示制御を行う表示制御手段と、表示制御手段の表示制御に伴い、表示手段に表示された操作子の位置に基づいて、出力レベルを制御するレベル制御手段と、を備え、表示制御手段は、操作手段により軌道上における任意の位置が点で指定されたとき、当該指定前の操作子の位置である移動開始位置から指定された任意の位置まで、予め定められた移動速度で操作子を移動させることを特徴とする。【００１７】
この構成によれば、表示機能付きタッチパネルを用いて操作部材を操作するため、簡便且つ直感的に出力レベルを調節することができる。また、操作部材の軌道上における任意の位置を点で指定することにより、当該指定前の操作子の位置である移動開始位置から指定された任意の位置まで、予め定められた移動速度で操作子を移動させるため、移動速度にばらつきが生じることがない。すなわち、メカニカルな操作部材のように操作子を実際に移動させるのではなく、任意の位置に触れるだけでその位置に操作子を移動させることができるため、操作が容易であると共に、メカニカルな操作部材では実現し得ない出力レベルの調節を行うことができる。
なお、「予め定められた移動速度」とは、装置が予め設定した移動速度であっても良いし、ユーザによって設定された移動速度であっても良い。【００１８】
上記に記載のレベル調節装置において、操作手段により、操作子の指定が解放されたとき、操作子を、移動開始位置に復帰させる第１操作モードと、操作子を、予め定められた復帰位置に復帰させる第２操作モードと、操作子を、任意の位置のまま停滞させる第３操作モードと、のいずれかの操作モードを設定する操作モード設定手段をさらに備え、表示制御手段は、操作モード設定手段の設定に基づいて表示制御を行うことが好ましい。【００１９】
この構成によれば、ユーザの好みや使用用途に応じて、操作子の指定が解放されたときの動作（操作モード）を設定することができる。【００２０】
本発明の信号処理装置は、上記に記載のレベル調節装置における各手段と、出力レベルの調節対象となる信号を複数入力する入力手段と、レベル制御手段により制御された出力レベルに基づいて、信号を出力する出力手段と、を備え、表示制御手段は入力された信号数に応じた数の操作部材を、表示手段に表示することを特徴とする。【００２１】
この構成によれば、入力された信号の出力レベルの調節を、メカニカルな操作部材では実現し得ない直感的な操作によって行うことができ、調節した出力レベルに応じた信号を出力することができる。また、入力された信号数に応じた数の操作部材を表示手段に表示するため、多数の信号を入力可能な信号処理装置であっても、不要な操作部材が表示されることがなく、操作性を損ねることがない。【００２２】
本発明のＡＶ処理装置は、上記に記載の信号処理装置における各手段を備え、信号は、オーディオ信号またはビデオ信号であることを特徴とする。【００２３】
この構成によれば、一般的に、オーディオ信号やビデオ信号の編集処理を行うＡＶ処理装置には、直感的な操作並びに多彩な音楽表現や映像表現が求められる場合が多いが、本発明を適用することで、ＡＶ処理装置を扱うユーザに対し簡便で快適な操作を提供することができる。【００２４】
本発明のプログラムは、コンピュータを、上記に記載のレベル調節装置における各手段として機能させるためのものであることを特徴とする。【００２５】
このプログラムを実行することにより、メカニカルな操作部材では実現し得ない出力レベルの調節を、直感的な操作によって行うことができるレベル調節装置を実現することができる。
【図面の簡単な説明】
【００２６】
【図１】本発明の一実施形態に係るＡＶ処理システムのシステム構成図、およびＡＶ処理装置の簡易構成図である。
【図２】ＡＶ処理装置に備えられたユーザインターフェースを示す図である。
【図３】ＡＶ処理装置のブロック図である。
【図４】操作部材の軌道上における任意の位置が点で指定されたときの表示制御を示す図である。
【図５】操作モードの説明図である。
【図６】タッチパネルの他の表示例を示す図である。
【符号の説明】
【００２７】
１０…ＣＤプレーヤー，２０…ＤＶＤプレーヤー，３０…ＡＶ処理装置，３１…ＣＰＵ，３２…ＧＵＩ描画部，３３…レベル制御部，３５…回転式コントローラ，３６…操作モード設定ボタン，４０…スピーカー，５０…モニター，６１…操作子，６２…軌道，Ｆ…直線状フェーダー，ＦＲ…回転状フェーダー，ＴＰ…タッチパネル
【発明を実施するための最良の形態】
【００２８】
以下、本発明の一実施形態に係るレベル調節装置、信号処理装置、ＡＶ処理装置およびプログラムについて、添付図面を参照しながら詳細に説明する。図１（ａ）は、本発明のＡＶ処理装置を適用したＡＶ処理システムＳＹのシステム構成図である。ＡＶ処理システムＳＹは、ＡＶ処理装置３０に入力するための１つ以上のオーディオ信号を生成する１台以上のＣＤプレーヤー１０（同図では、１台のみ図示）と、ＡＶ処理装置３０に入力するための１つ以上のビデオ信号を生成する１台以上のＤＶＤプレーヤー２０（同図では、１台のみ図示）と、これら１台以上のＣＤプレーヤー１０および／または１台以上のＤＶＤプレーヤー２０から、１つ以上のオーディオ信号および／または１つ以上のビデオ信号（以下、オーディオ信号および／またはビデオ信号を指して「ＡＶ信号」と称する）を入力し、これらを編集して出力用のＡＶ信号を生成するＡＶ処理装置３０と、ＡＶ処理装置３０から出力されたオーディオ信号を音声出力するスピーカー４０と、ＡＶ処理装置３０から出力されたビデオ信号を表示するモニター５０と、から成る。【００２９】
本実施形態のＡＶ処理装置３０は、複数のＡＶ信号を入力可能となっており、これらＡＶ信号に関する種々の要素の出力レベル（例えば、オーディオ信号の場合における音量や、ビデオ信号の場合における輝度率などのパラメータ）の調節など、各種編集処理を行う。また、ＡＶ処理装置３０の一例としては、例えばクラブ等において用いられるものであり、音声と映像の両方にエフェクトをかけるなど、楽器感覚でオーディオ信号および／またはビデオ信号を扱い得るＤＶＪ機器（ディスクジョッキー（ＤＪ）が音響パフォーマンスに用いるＤＪ機器と、ビジュアルジョッキーまたはビデオジョッキー（ＶＪ）が映像パフォーマスンスに用いるＶＪ機器とを複合化した機器）等が挙げられる。【００３０】
ここで、ＶＪおよびＤＪについて説明する。ＶＪは、音楽に合わせて即興で映像をミックス（合成したりつないだり）する。ＤＪが即興で音楽をミックスするのに対し、ＶＪは映像を用いてパフォーマンスを行う。主にイベントやクラブパーティでスクリーン等に映像を切換出力するパフォーマンスを行い、会場でかかっている音楽や企画の進行に合わせて、適切な映像をその場で選択し、タイミングよく流すことを担う。【００３１】
これに対して、ＤＪは場の雰囲気から楽曲を選曲し、切れ目のない再生を行う。楽曲のピッチ（スピード）を変速できるターンテーブル等を使用したライブ演奏を行う。選曲の他に、ＤＪミックス、スクラッチなどのパフォーマンスを行う行為が一般化しており、ミックスでは現在再生している曲と次に再生する曲をスムーズにつなぎ、音の切れ目をなくすことでフロアのテンションを維持する。【００３２】
現状、一般的にＶＪとＤＪは住み分けがなされており、普通は得意分野によって音楽、映像のどちらか一方を対象としてパフォーマンスを行う者が多い。それぞれに得意分野があることから、専門分野以外の対象をミックスすることは困難である。また、一方を対象とするだけでも、即興でつなぎつつさらにエフェクトをかけたりするので、多様な操作を行う必要があり非常に慌しい。そのため、双方を扱う余裕がない。【００３３】
しかし、どちらも会場の雰囲気やパフォーマー自身のフィーリングに合わせて、楽曲、映像をテンポよく切換出力する行為を行うものである。提供される音と映像が一致する必要があることから、双方を１人の人物が行うことも望まれる。本来映像が得意なＶＪでも、映像の変化に追従して音楽が変化すれば、映像と共に音楽を扱うことが容易となるし、逆に本来音楽専任のＤＪでも、音を変化させることに追従して映像が変化すれば、より自然に音と映像を合わせて扱うことができる。【００３４】
本実施形態のＡＶ処理装置３０は、ＤＶＪ機器など音楽と映像両方を扱う場合においても、簡便で快適な操作を提供することにより、本来1人の人物が同時に扱うことができない映像と音楽を、１人で同時に扱うことを可能とするものである。【００３５】
なお、ＡＶ処理装置３０に入力するためのＡＶ信号を生成するための装置としては、ＣＤプレーヤー１０やＤＶＤプレーヤー２０に限らず、他の装置（各種音声機器、映像機器およびパーソナルコンピュータなど）であっても良い。また、ＡＶ処理装置３０に、ＣＤプレーヤー１０やＤＶＤプレーヤー２０の機能を内蔵させても良い。さらに、ビデオ信号は、動画であっても良いし静止画であっても良い。【００３６】
図１（ｂ）は、ＡＶ処理装置３０の簡易構成図である。ＡＶ処理装置３０は、その主要構成要素として、表示機能付きタッチパネルＴＰ、ＣＰＵ３１、ＧＵＩ描画部３２およびレベル制御部３３を有している。【００３７】
表示機能付きタッチパネルＴＰは、ＴＦＴ等の表示素子を有するディスプレイ４１と、当該ディスプレイ４１上に重ね合わされたタッチパネル４２と、から成る。このように表示機能付きタッチパネルＴＰ（以下単に「タッチパネルＴＰ」と称する）を採用することで、ユーザは、ディスプレイ４１の表示上でタッチパネル４２を操作することができるため、簡便且つ直感的な操作が可能となる。【００３８】
ＣＰＵ３１は、タッチパネルＴＰの操作（タッチ）に基づく電圧変化（タッチ情報）に応じて、操作位置の位置検出や移動検出を行う。また、当該検出結果に基づいて、タッチパネルＴＰ（ディスプレイ４１）の表示制御を行うための表示制御信号や、レベル調節を行うためのレベル制御信号を生成し、各信号をＧＵＩ描画部３２およびレベル制御部３３に出力する。さらに、ＣＰＵ３１は、この他にも、ユーザによる各種操作子の操作に基づく情報管理や、外部装置との信号の入出力など、ＡＶ処理装置３０の統括制御を行う。【００３９】
ＧＵＩ描画部３２は、ＣＰＵ３１から入力された表示制御信号および入力されたＡＶ信号の数に基づいて、タッチパネルＴＰ上にＧＵＩ表示を行う。また、レベル制御部３３は、一般にオーディオ／ビデオコントロールデバイスによって構成されるものであり、ＣＰＵ３１から入力されたレベル制御信号に基づいて、入力信号の出力レベルを制御し、その制御結果に基づいて、出力用のオーディオ信号および／または出力用のビデオ信号を生成する。さらに、レベル制御部３３は、生成したこれらの信号を、それぞれの出力インターフェースから出力する。【００４０】
次に、図２の平面図を参照し、ＡＶ処理装置３０に備えられたユーザインターフェースについて説明する。同図に示すように、ＡＶ処理装置３０は、その筐体上面に、上記のタッチパネルＴＰと、回転式コントローラ（つまみ）３５と、操作ボタン３６と、を備えている。なお、ＡＶ処理装置３０は、その他のユーザインターフェースとして、出力ＡＶ信号に含まれるビデオ信号の映像をユーザが確認するための確認用ディスプレイ、入力ＡＶ信号の切り替えや入力ＡＶ信号にエフェクト効果を付与するための各種操作子等（いずれも図示省略）を備えている。【００４１】
タッチパネルＴＰは、入力されたＡＶ信号の数に応じた操作部材を表示する。同図は、ＣＨ１にのみＡＶ信号が入力されている場合であって、操作部材として直線状のフェーダーＦを採用した場合の表示例を示したものである。【００４２】
同図の例に示すように、フェーダーＦは、操作子６１と、当該操作子６１の移動経路である軌道６２と、を有しており、ユーザが操作子６１を軌道６２に沿って移動させることによりＣＨ１の出力レベルを調節可能となっている。また、当該フェーダーＦは、例えば位置ＰＡ（移動開始位置）に操作子６１が位置している状態で、位置ＰＢ（任意の位置）を指定（タッチ）すると、位置ＰＡから位置ＰＢまで、所定の（予め設定された）移動所要時間をかけて一定の速度で操作子６１を移動させることができる。つまり、物理的に設置されたフェーダーであれば、操作子６１の操作方法としては、操作子６１を軌道６２上で移動（ドラッグ）させるしかないが、本実施形態のようにＧＵＩ表示によってフェーダーＦを実現することにより、軌道６２上をタッチするなど「点」を指定する操作で操作子６１を操作することができる。また、位置ＰＡから位置ＰＢまでは操作子６１が一定の速度で移動するため、移動速度にばらつきがなく、例えばオーディオ信号の音量を調節する場合など、聴衆に違和感を与えることないスムーズな音量制御を実現することができる。【００４３】
一方、回転式コントローラ３５は、操作子６１が位置ＰＡから位置ＰＢまで移動するために必要な移動所要時間を設定するためのものである。本実施形態では、回転式コントローラ３５を回転させることにより、０（秒）から１２０（秒）の間で設定可能となっている。例えば移動所要時間が６０（秒）に設定された場合、操作子６１はゆっくりと位置ＰＡから位置ＰＢに向かって移動していき、６０（秒）後に位置ＰＢに到達する。その速度は、「位置ＰＡから位置ＰＢまでの距離／６０（秒）」で一定である。このように、ゆっくりとしたフェーダー操作を行う場合、人の指で実際に操作子６１を操作して一定の速度で動かすことは不可能であるが、本実施形態によればそのような操作も容易に行うことができる。【００４４】
なお、回転式コントローラ３５の回転に伴う変化量は、直線的に増減する（回転式コントローラ３５の位置に関わらず一定の割合で増減する）のではなく、２時曲線的に増加する（回転式コントローラ３５が最大値に近づくにつれて変化割合が大きくなる）ように設定しても良い。この構成によれば、移動所要時間が短い範囲（最小値付近）の細かい設定が容易である。【００４５】
操作ボタン３６は、操作子６１の指定が解放されたとき（タッチパネルＴＰから指が離れたとき）の動作が異なる３つの操作モードの中からいずれかを設定するための操作モード設定ボタンである。本実施形態では、第１操作モードに設定されている場合、フェーダーＦの操作子６１の指定が解放されたとき、操作子６１を移動開始位置に復帰させる。また、第２操作モードに設定されている場合、フェーダーＦの操作子６１の指定が解放されたとき、操作子６１を予め定められた復帰位置に復帰させる。さらに、第３操作モードに設定されている場合、フェーダーＦの操作子６１の指定が解放されたとき、操作子６１をその指定された位置（任意の位置）のまま停滞させる。なお、各操作モードの詳細については、後に例を挙げて詳述する。【００４６】
なお、移動所要時間の設定や操作モードの設定は、上記の回転式コントローラや操作ボタンに限らず、十字キーやジョイスティックなど他の操作子を用いても良い。【００４７】
次に、図３のブロック図を参照し、ＡＶ処理装置３０の制御構成について説明する。同図に示すように、ＡＶ処理装置３０は、入力手段３１０、操作手段３２０、表示手段３３０、移動所要時間設定手段３４０、操作モード設定手段３５０、表示制御手段３６０、レベル制御手段３７０および出力手段３８０を備えている。【００４８】
入力手段３１０は、複数のＡＶ信号（入力ＡＶ信号）を入力するものであり、不図示の信号入力インターフェース（ＵＳＢやＭＩＤＩなど）によりその主要部が構成される。操作手段３２０および表示手段３３０は、タッチパネルＴＰによりその主要部が構成される。操作手段３２０は、タッチパネルＴＰに表示された操作部材（フェーダーＦ）の操作子６１をユーザが操作することによって、操作部材に対応する信号の出力レベルを調節する。また、表示手段３３０は、当該操作部材をＧＵＩ表示する。【００４９】
移動所要時間設定手段３４０は、操作手段３２０により操作部材の軌道６２上における任意の位置が点で指定された場合における、当該指定前の操作子６１の位置である移動開始位置から指定された任意の位置までの操作子６１の移動に要する移動所要時間を設定するものであり、上記の回転式コントローラ３５（図２参照）によりその主要部が構成される。また、操作モード設定手段３５０は、操作手段３２０により操作子６１の指定が解放されたときの操作子６１の動作を設定するものであり、上記の操作モード設定ボタン３６（図２参照）によりその主要部が構成される。【００５０】
表示制御手段３６０は、操作手段３２０の操作結果を表示手段３３０に反映させるなど、操作手段３２０の操作に基づいて表示手段３３０の表示制御を行うものであり、上記のＣＰＵ３１およびＧＵＩ描画部３２（図１（ｂ）参照）によりその主要部が構成される。表示制御手段３６０は、操作子６１が軌道６２に沿ってドラッグされた場合は、その手動速度に応じて操作子６１を移動させる。また、軌道６２上における任意の位置が点で指定されたときは、その任意の位置まで、移動所要時間設定手段３４０により設定された移動所要時間をかけて一定の速度で操作子６１を移動させる。【００５１】
また、表示制御手段３６０は、操作モード設定手段３５０の設定に基づいて、操作子６１の指定が解放されたときの表示制御を行う。特に、第１操作モードに設定されている場合（操作子６１の指定が解放されたとき、操作子６１を移動開始位置に復帰させる設定の場合）や第２操作モードに設定されている場合（操作子６１の指定が解放されたとき、操作子６１を所定の復帰位置に復帰させる設定の場合）は、移動所要時間設定手段３４０により設定された移動所要時間をかけて、任意の位置から移動開始位置または復帰位置まで、一定の速度で操作子６１を移動させる。【００５２】
レベル制御手段３７０は、表示制御手段３６０の表示制御に伴い、表示手段３３０に表示された操作部材の操作子６１の位置に基づいて、当該操作部材に対応する信号の出力レベルを制御するものであり、上記のＣＰＵ３１およびレベル制御部３３（図１（ｂ）参照）によりその主要部が構成される。また、出力手段３８０は、レベル制御手段３７０により制御された出力レベルに基づいて、ＡＶ信号（出力ＡＶ信号）を出力するものであり、不図示の信号出力インターフェース（ＵＳＢやＭＩＤＩなど）により、その主要部が構成される。【００５３】
次に、図４を参照し、操作部材（フェーダーＦ）の軌道６２上における任意の位置が点で指定されたときの表示制御について説明する。なお、ここでは第１操作モード（操作子６１の指定が解放されたとき、操作子６１を移動開始位置に復帰させるモード）に設定されているものとして説明する。【００５４】
同図（ａ）に示すように、移動所要時間がｔ（秒）に設定されている場合（但し、ｔ＞０（秒））、移動開始位置ＰＡに操作子６１が位置している状態から、任意の位置ＰＢが指定されると（ユーザにより触れられると）、時間ｔ（秒）をかけて、操作子６１が移動開始位置ＰＡから任意の位置ＰＢまで定速で移動する。また、任意の位置ＰＢに操作子６１が位置している状態から操作子６１の指定が解放されると、同じく時間ｔ（秒）をかけて、操作子６１が任意の位置ＰＢから移動開始位置ＰＡまで定速で復帰する。【００５５】
また、同図（ｂ）に示すように、移動所要時間が０（秒）に設定されている場合、移動開始位置ＰＡに操作子６１が位置している状態から、任意の位置ＰＢが指定されると、操作子６１が瞬時に移動開始位置ＰＡから任意の位置ＰＢまで移動する。また、任意の位置ＰＢに操作子６１が位置している状態から操作子６１の指定が解放されると、同じく操作子６１が瞬時に任意の位置ＰＢから移動開始位置ＰＡまで復帰する。【００５６】
このように、ユーザは、フェーダーＦの軌道６２上における任意の位置を点で指定することにより、所望する時間をかけて、若しくは瞬時に、操作子６１を移動させることができる。また、その指定を解放することにより、所望する時間をかけて、若しくは瞬時に、操作子６１を操作開始位置に復帰させることができる。【００５７】
次に、図５を参照し、各操作モードについて説明する。同図は、移動開始位置ＰＡから、点で指定された任意の位置ＰＢまで移動した後、解放された場合を示している。また、移動所要時間は、ｔ（秒）に設定されているものとする。同図（ａ）に示すように、第１操作モードに設定された場合は、ユーザが指定を解放すると、操作子６１は移動開始位置ＰＡに復帰する。上記のとおり、このときの任意の位置ＰＢから移動開始位置ＰＡまでの移動には、ｔ（秒）を要する。【００５８】
また、同図（ｂ）に示すように、第２操作モードに設定された場合は、ユーザが指定を解放すると、操作子６１は予め定められた復帰位置ＰＣに復帰する。このときも、任意の位置ＰＢから復帰位置ＰＣまでの移動には、ｔ（秒）を要する。したがって、第１操作モードに設定されている場合の復帰と、第２操作モードに設定されている場合の復帰とは移動速度が異なる（同図の例の場合、第２操作モードに設定されている場合の方が、移動速度が速くなる）。なお、復帰位置ＰＣは、予め設定されていても良いし、ユーザが所定の操作によって設定しても良い。【００５９】
一方、同図（ｃ）に示すように、第３操作モードに設定された場合は、ユーザが指定を解放しても、操作子６１は所定の位置ＰＢに停滞したままとなる。したがって、第３操作モードに設定された場合、移動所要時間の設定は影響しない。【００６０】
このように、ユーザは好みに応じて、操作モードを設定することができる。なお、操作モードの設定は、操作モード設定ボタン３６の操作によって固定的に設定するのではなく、任意の位置の指定方法等によって操作モードを切り替えられるようにしても良い。例えば、シングルクリックによって任意の位置が指定された場合は、第１操作モードにしたがって操作子６１を移動開始位置に復帰し、ダブルクリックによって任意の位置が指定された場合は、第３操作モードにしたがって操作子６１を任意の位置に停滞させるなどの構成でも良い。【００６１】
また、操作モードの適用は、フェーダーＦの軌道６２上における任意の位置が点で指定されたときのみならず、手動で操作子６１を移動させたときも、対象としても良い。つまり、ユーザが操作子６１をドラッグ操作した後、タッチパネルＴＰから指が離れたときに、各操作モードにしたがって動作するようにしても良い。また、任意の位置が点で指定されたときのみ操作モードを適用するか、操作子６１が手動で操作されたときのみ操作モードを適用するか、両方を適用対象とするかなど、ユーザの好みに応じて設定可能としても良い。【００６２】
以上説明したとおり、本実施形態によれば、タッチパネルＴＰを用いて操作部材を操作するため、簡便且つ直感的に出力レベルを調節することができる。また、操作部材の軌道上における任意の位置を点で指定することにより、当該指定前の操作子６１の位置である移動開始位置から指定された任意の位置まで、予め定められた移動所要時間をかけて一定の速度で操作子を移動させるため、移動速度にばらつきが生じることがなく、メカニカルな操作部材では実現し得ない出力レベルの調節を行うことができる。また、移動所要時間は、ユーザの好みやニーズに応じて設定可能であり、例えば移動所要時間を０に設定すると、操作子６１を瞬時に移動させることができる。また、移動所要時間を６０（秒）など長時間に設定すると、メカニカルな操作部材では実現し得ない低速の定速移動を実現することができる。このように、本実施形態におけるＡＶ処理装置３０は、独創的な出力レベルの調節を実現することができ、多彩な映像表現や音楽表現に有効である。【００６３】
なお、上記の実施形態では、タッチパネルＴＰに操作部材（フェーダーＦ）を１つだけ表示した場合を例示したが（図２参照）、入力された信号数に応じた数の操作部材を、タッチパネルＴＰに表示するようにしても良い。図６（ａ）は、ＣＨ１〜ＣＨ３の３つの信号が入力された場合のタッチパネルＴＰの表示例を示したものである。このように、ＣＨ１〜ＣＨ３の３つの信号が入力された場合は、各信号に対応する３つのフェーダーＦ１〜Ｆ３を表示し、さらに対応するチャンネルを示す表示（「ＣＨ１」〜「ＣＨ３」）７１〜７３を表示する。この構成によれば、入力された信号数に応じた数の操作部材を表示するため、多数の信号を入力可能なＡＶ処理装置３０であっても、不要な操作部材が表示されることがなく、操作性を損ねることがない。【００６４】
なお、入力された信号数に応じた数の操作部材をタッチパネルＴＰ上に表示するだけでなく、入力された信号数に応じて、適切な配置となるように、各操作部材をタッチパネルＴＰ上に配置することが好ましい。また、この場合、信号の種類や、出力レベルを調節するパラメータに応じて、操作性を考慮しつつ各操作部材を配置することが好ましい。【００６５】
また、上記の実施形態では、操作部材として直線状のフェーダーＦを表示したが、回転状のフェーダーＦＲを用いても良い。図６（ｂ）は、回転状のフェーダーＦＲの表示例を示したものである。回転状のフェーダーＦＲの場合、操作子はつまみ８０となるが、「操作子の位置」は、つまみ８０に設けられた基準マーク８１の位置に相当する。また、回転状のフェーダーＦＲの場合、軌道８２は、円形（図示の例は、一部操作不可領域となっている）となる。【００６６】
なお、所定の軌道に沿って操作子を移動させることにより出力レベルを調節可能な操作部材であれば、上記の直線状のフェーダーＦや回転状のフェーダーＦＲ以外にも、種々の形状の操作部材（コントローラ）を適用可能である。【００６７】
また、上記の実施形態では、例えば第１設定モードの場合、設定した移動所要時間で、移動開始位置から任意の位置まで移動すると共に、同じく移動所要時間で、任意の位置から移動開始位置まで復帰するものとしたが、任意の位置までの往路と復路において、異なる移動所要時間を設定可能としても良い（個別移動所要時間設定手段）。この構成によれば、移動開始位置から任意の位置まで、また任意の位置から移動開始位置まで、それぞれユーザの所望する移動所要時間で、操作子６１を移動させることができる。なお、第２設定モードの場合も、任意の位置までの往路（移動開始位置から任意の位置まで）と復路（任意の位置から復帰位置まで）において、異なる移動所要時間を設定可能である。【００６８】
また、上記の実施形態では、移動所要時間を設定できるものとしたが、これに代えて、操作子６１が移動開始位置から任意の位置まで移動する際の移動速度を設定できるようにしても良い。この構成によれば、操作子６１の移動速度を直接指定できるため、ユーザは出力値の変化を容易に想定することができる。なお、第１設定モードおよび第２設定モードにおける、任意の位置までの往路と復路の移動について、異なる移動速度を設定可能としても良い。【００６９】
また、ＡＶ処理装置３０としては、クラブ等において用いられるＤＶＪ機器を例示したが、当該ＤＶＪ機器以外にも、複数のＡＶ信号を入力し、これらを編集可能な装置やプログラム（音声／映像ミキサー、音声／映像コントローラ、音声／映像処理アプリケーションなど）であれば、本発明を適用可能である。すなわち、オーディオ信号とビデオ信号の両方を処理する装置でなくとも、オーディオ信号のみ、ビデオ信号のみを処理する装置にも、本発明を適用可能である。【００７０】
また、上記の例に示したＡＶ処理装置３０における各部、並びに各機能をプログラムとして提供することも可能である。また、そのプログラムを記録媒体（図示省略）に格納して提供することも可能である。記録媒体としては、ＣＤ―ＲＯＭ、フラッシュＲＯＭ、メモリカード（コンパクトフラッシュ（登録商標）、スマートメディア、メモリースティック等）、コンパクトディスク、光磁気ディスク、デジタルバーサタイルディスク、フレキシブルディスクおよびハードディスク等を利用することができる。【００７１】
また、上述した実施例によらず、ＡＶ処理システムＳＹのシステム構成、ＡＶ処理装置３０の装置構成や処理工程等について、本発明の要旨を逸脱しない範囲で、適宜変更も可能である。例えば、入力される信号は、オーディオ信号またはビデオ信号に限らず、他の信号であっても良いし、ＡＶ処理装置３０から入力手段３１０および出力手段３８０を省略したレベル調節装置も、本発明の権利範囲である。
【図１】
2008126130.tif 000003
【図２】
2008126130.tif 000004
【図３】
2008126130.tif 000005
【図４】
2008126130.tif 000006
【図５】
2008126130.tif 000007
【図６】
2008126130.tif 000008
【手続補正書】
【提出日】平成21年1月7日(2009.1.7)
【手続補正１】
【補正対象書類名】特許請求の範囲
【補正対象項目名】全文
【補正方法】変更
【補正の内容】
【特許請求の範囲】
【請求項１】
表示機能付きタッチパネル上に、所定の軌道に沿って操作子を移動させることにより出力レベルを調節可能な操作部材をＧＵＩ表示する表示手段と、
前記表示機能付きタッチパネルを用いて、前記操作子を操作する操作手段と、
前記操作手段の操作に基づいて、前記表示手段の表示制御を行う表示制御手段と、
前記表示制御手段の表示制御に伴い、前記表示手段に表示される前記操作子の位置に基づいて、前記出力レベルが一定の割合で変化するように前記出力レベルを制御するレベル制御手段と、を備え、
前記表示制御手段は、前記操作手段により前記軌道上における任意の位置が点で指定されたとき、当該指定前の前記操作子の位置である移動開始位置から指定された前記任意の位置まで、予め定められた移動所要時間をかけて一定の速度で前記操作子を移動させることを特徴とするレベル調節装置。
【請求項２】
（削除）
【請求項３】
前記移動所要時間を設定するための移動所要時間設定手段をさらに備え、
前記表示制御手段は、前記移動所要時間設定手段により設定された前記移動所要時間をかけて、前記移動開始位置から前記任意の位置まで前記操作子を移動させることを特徴とする請求項１に記載のレベル調節装置。
【請求項４】
表示機能付きタッチパネル上に、所定の軌道に沿って操作子を移動させることにより出力レベルを調節可能な操作部材をＧＵＩ表示する表示手段と、
前記表示機能付きタッチパネルを用いて、前記操作子を操作する操作手段と、
前記操作手段の操作に基づいて、前記表示手段の表示制御を行う表示制御手段と、
前記表示制御手段の表示制御に伴い、前記表示手段に表示される前記操作子の位置に基づいて、前記出力レベルが一定の割合で変化するように前記出力レベルを制御するレベル制御手段と、を備え、
前記表示制御手段は、前記操作手段により前記軌道上における任意の位置が点で指定されて開放されたとき、指定された当該任意の位置から、指定前の前記操作子の位置である移動開始位置または予め定められた復帰位置まで、予め定められた移動所要時間をかけて一定の速度で前記操作子を移動させることを特徴とするレベル調節装置。
【請求項５】
前記移動開始位置から前記任意の位置までに要する前記移動所要時間である第１移動所要時間と、前記任意の位置から前記移動開始位置または予め定められた復帰位置までに要する前記移動所要時間である第２移動所要時間と、を個別に設定する個別移動所要時間設定手段をさらに備え、
前記表示制御手段は、前記個別移動所要時間設定手段により設定された前記第１移動所要時間をかけて、前記移動開始位置から前記任意の位置まで前記操作子を移動させると共に、前記第２移動所要時間をかけて、前記任意の位置から前記移動開始位置または前記復帰位置まで前記操作子を移動させることを特徴とする請求項１に記載のレベル調節装置。
【請求項６】
表示機能付きタッチパネル上に、所定の軌道に沿って操作子を移動させることにより出力レベルを調節可能な操作部材をＧＵＩ表示する表示手段と、
前記表示機能付きタッチパネルを用いて、前記操作子を操作する操作手段と、
前記操作手段の操作に基づいて、前記表示手段の表示制御を行う表示制御手段と、
前記表示制御手段の表示制御に伴い、前記表示手段に表示される前記操作子の位置に基づいて、前記出力レベルが一定の割合で変化するように前記出力レベルを制御するレベル制御手段と、を備え、
前記表示制御手段は、前記操作手段により前記軌道上における任意の位置が点で指定されたとき、当該指定前の前記操作子の位置である移動開始位置から指定された前記任意の位置まで、予め定められた移動速度で前記操作子を移動させることを特徴とするレベル調節装置。
【請求項７】
前記操作手段により、前記操作子の指定が解放されたとき、
前記操作子を、前記移動開始位置に復帰させる第１操作モードと、
前記操作子を、予め定められた復帰位置に復帰させる第２操作モードと、
前記操作子を、前記任意の位置のまま停滞させる第３操作モードと、のいずれか２つ以上の操作モードのうち、いずれかの操作モードを設定する操作モード設定手段をさらに備え、
前記表示制御手段は、前記操作モード設定手段の設定に基づいて表示制御を行うことを特徴とする請求項１、４または６に記載のレベル調節装置。
【請求項８】
請求項１、４または６に記載のレベル調節装置における各手段と、
前記出力レベルの調節対象となる信号を複数入力する入力手段と、
前記レベル制御手段により制御された前記出力レベルに基づいて、前記信号を出力する出力手段と、を備え、
前記表示制御手段は、入力された信号数に応じた数の前記操作部材を、前記表示手段に表示することを特徴とする信号処理装置。
【請求項９】
請求項８に記載の信号処理装置における各手段を備え、
前記信号は、オーディオ信号またはビデオ信号であることを特徴とするＡＶ処理装置。
【請求項１０】
コンピュータを、請求項１、４または６に記載のレベル調節装置における各手段として機能させるためのプログラム。
【請求項１１】
前記移動所要時間を設定するための移動所要時間設定手段をさらに備え、
前記表示制御手段は、前記移動所要時間設定手段により設定された前記移動所要時間をかけて、前記任意の位置から、前記移動開始位置または前記復帰位置まで前記操作子を移動させることを特徴とする請求項４に記載のレベル調節装置。
【請求項１２】
前記復帰位置を設定する復帰位置設定手段をさらに備えたことを特徴とする請求項４または５に記載のレベル調節装置。
【請求項１３】
前記移動開始位置から前記任意の位置までの移動速度である第１移動速度と、前記任意の位置から前記移動開始位置または予め定められた復帰位置までの移動速度である第２移動速度と、を個別に設定する個別移動速度設定手段をさらに備え、
前記表示制御手段は、前記移動開始位置から前記任意の位置まで、前記第１移動速度で、前記操作子を移動させると共に、前記任意の位置から前記移動開始位置または前記復帰位置まで、前記第２移動速度で、前記操作子を移動させることを特徴とする請求項６に記載のレベル調節装置。
【手続補正２】
【補正対象書類名】明細書
【補正対象項目名】０００２
【補正方法】変更
【補正の内容】
【０００２】
た。
［０００５］
本発明は、上記の問題点に鑑み、メカニカルな操作部材では実現し得ない出力レベルの調節を、直感的な操作によって行うことができるレベル調節装置、信号処理装置、ＡＶ処理装置およびプログラムを提供することを目的とする。
課題を解決するための手段
［０００６］
本発明のレベル調節装置は、表示機能付きタッチパネル上に、所定の軌道に沿って操作子を移動させることにより出力レベルを調節可能な操作部材をＧＵＩ表示する表示手段と、表示機能付きタッチパネルを用いて、操作子を操作する操作手段と、操作手段の操作に基づいて、表示手段の表示制御を行う表示制御手段と、表示制御手段の表示制御に伴い、表示手段に表示される操作子の位置に基づいて、出力レベルが一定の割合で変化するように出力レベルを制御するレベル制御手段と、を備え、表示制御手段は、操作手段により軌道上における任意の位置が点で指定されたとき、当該指定前の操作子の位置である移動開始位置から指定された任意の位置まで、予め定められた移動所要時間をかけて一定の速度で操作子を移動させることを特徴とする。
上記に記載のレベル調節装置において、移動所要時間を設定するための移動所要時間設定手段をさらに備え、表示制御手段は、移動所要時間設定手段により設定された移動所要時間をかけて、移動開始位置から任意の位置まで操作子を移動させることが好ましい。
本発明の他のレベル調節装置は、表示機能付きタッチパネル上に、所定の軌道に沿って操作子を移動させることにより出力レベルを調節可能な操作部材をＧＵＩ表示する表示手段と、表示機能付きタッチパネルを用いて、操作子を操作する操作手段と、操作手段の操作に基づいて、表示手段の表示制御を行う表示制御手段と、表示制御手段の表示制御に伴い、表示手段に表示される操作子の位置に基づいて、出力レベルが一定の割合で変化するように出力レベルを制御するレベル制御手段と、を備え、表示制御手段は、操作手段により軌道上における任意の位置が点で指定されて開放されたとき、指定された当該任意の位置から、指定前の操作子の位置である移動開始位置または予め定められた復帰位置まで、予め定められた移動所要時間をかけて一定の速度で操作子を移動させることを特徴とする。
上記に記載のレベル調節装置において、移動開始位置から任意の位置までに要する移動所要時間である第１移動所要時間と、任意の位置から移動開始位置または予め定められた復帰位置までに要する移動所要時間である第２移動所要時間と、を個別に設定する個別移動所要時間設定手段をさらに備え、表示制御手段は、個別移動所要時間設定手段により設定された第１移動所要時間をかけて、移動開始位置から任意の位置まで操作子を移動させると共に、第２移動所要時間をかけて、任意の位置から移動開始位置または復帰位置まで操作子を移動させることが好ましい。
本発明の他のレベル調節装置は、表示機能付きタッチパネル上に、所定の軌道に沿って操作子を移動させることにより出力レベルを調節可能な操作部材をＧＵＩ表示する表示手段と、表示機能付きタッチパネルを用いて、操作子を操作する操作手段と、操作手段の操作に基づいて、表示手段の表示制御を行う表示制御手段と、表示制御手段の表示制御に伴い、表示手段に表示される操作子の位置に基づいて、出力レベルが一定の割合で変化するように出力レベルを制御するレベル制御手段と、を備え、表示制御手段は、操作手段により軌道上における任意の位置が点で指定されたとき、当該指定前の操作子の位置である移動開始位置から指定された任意位置まで、予め定められた移動速度で操作子を移動させることを特徴とする。
上記に記載のレベル調節装置において、操作手段により、操作子の指定が解放されたとき、操作子を、移動開始位置に復帰させる第１操作モードと、操作子を、予め定められた復帰位置に復帰させる第２操作モードと、操作子を、任意の位置のまま停滞させる第３操作モードと、のいずれか２つ以上の操作モードのうち、いずれかの操作モードを設定する操作モード設定手段をさらに備え、表示制御手段は、操作モード設定手段の設定に基づいて表示制御を行うことが好ましい。
本発明の信号処理装置は、上記に記載のレベル調節装置における各手段と、出力レベルの調節対象となる信号を複数入力する入力手段と、レベル制御手段により制御された出力レベルに基づいて、信号を出力する出力手段と、を備え、表示制御手段は、入力された信号数に応じた数の操作部材を、表示手段に表示することを特徴とする。
本発明のＡＶ処理装置は、上記に記載の信号処理装置における各手段を備え、信号は、オーディオ信号またはビデオ信号であることを特徴とする。
本発明のプログラムは、コンピュータを、上記に記載のレベル調節装置における各手段として機能させるためのものであることを特徴とする。
上記に記載のレベル調節装置において、移動所要時間を設定するための移動所要時間設定手段をさらに備え、表示制御手段は、移動所要時間設定手段により設定された移動所要時間をかけて、任意の位置から、移動開始位置または復帰位置まで操作子を移動させることが好ましい。
上記に記載のレベル調節装置において、復帰位置を設定する復帰位置設定手段をさらに備えたことが好ましい。
上記に記載のレベル調節装置において、移動開始位置から任意の位置までの移動速度である第１移動速度と、任意の位置から移動開始位置または予め定められた復帰位置までの移動速度である第２移動速度と、を個別に設定する個別移動速度設定手段をさらに備え、表示制御手段は、移動開始位置から任意の位置まで、第１移動速度で、操作子を移動させると共に、任意の位置から移動開始位置または復帰位置まで、第２移動速度で、操作子を移動させることが好ましい。
なお、以下の構成としても良い。
本発明のレベル調節装置は、表示機能付きタッチパネル上に、所定の軌道に沿って操作子を移動させることにより出力レベルを調節可能な操作部材をＧＵＩ表示する表示手段と、表示機能付きタッチパネルを用いて、操作子を操作する操作手段と、操作手段の操作に基づいて、表示手段の表示制御を行う表示制御手段と、表示制御手段の表示制御に伴い、表示手段に表示された操作子の位置に基づいて、出力レベルを制御するレベル制御手段と、を備え、表示制御手段は、操作手段により軌道上における任意の位置が点で指定されたとき、当該指定前の操作子の位置である移動開始位置から指定された任意の位置まで、予め定められた移動所要時間をかけて一定の速度で操作子を移動させることを特徴とする。
［０００７］
この構成によれば、表示機能付きタッチパネルを用いて操作部材を操作するため、簡便且つ直感的に出力レベルを調節することができる。また、操作部材の軌道上における任意の位置を点で指定することにより、当該指定前の操作子の位置である移動開始位置から指定された任意の位置まで、予め定められた移動所要時間をかけて一定の速度で操作子を移動させるため、移動速度にばらつきが生じることがない。すなわち、メカニカルな操作部材のように操作子を実際に移動させるのではなく、任意の位置に触れるだけでその位置に操作子を移動させることができるため、操作が容易であると共に、メカニカルな操作部材では実現し得ない出力レベルの調節を行うことができる。
［０００８］
上記に記載のレベル調節装置において、移動所要時間は０に設定されており、表示制御手段は、移動開始位置から任意の位置まで、瞬時に操作子を移動させることが好ましい。
【国際調査報告】
2008126130.tif 000009
2008126130.tif 000010